(57)【要約】【課題】安定した画像形成を行いつつ、小型化することできる画像形成装置を提供する。【解決手段】画像形成装置１０は、感光体３０及び潜像形成装置３４を一体に有する像形成構造体２２と、感光体３０が保持する潜像を現像する複数の現像装置２４Ｙ、２４Ｍ、２４Ｃ、２４Ｋと、像形成構造体２２を現像装置２４Ｙ、２４Ｍ、２４Ｃ、２４Ｋに対して移動させる像形成構造体移動装置５０と、感光体３０が、現像装置２４Ｙ、２４Ｍ、２４Ｃ、２４Ｋのいずれかに対向するいずれかの現像位置に所定の順序で移動するように、像形成構造体移動装置５０を制御する制御回路１０２とを有する。【選択図】図１
2008164692.tif 000002
【特許請求の範囲】
【請求項１】
像を保持する像保持体及びこの像保持体に潜像を形成する書き込み装置を一体に有する像形成構造体と、
前記像保持体が保持する潜像を現像する複数の現像装置と、
前記像形成構造体を前記現像装置に対して移動させる移動手段と、
前記像保持体が前記現像装置のいずれかに対向する現像位置に所定の順序で移動するように、前記移動手段を制御する移動制御手段と、
を有する画像形成装置。
【請求項２】
前記像形成構造体に前記像保持体と一体に設けられ、前記像保持体を駆動する駆動装置と、
前記像形成構造体の移動中に前記像保持体を駆動するように、前記駆動装置を制御する駆動装置制御手段と、
をさらに有する請求項１記載の画像形成装置。
【請求項３】
前記現像装置の一つは黒用であり、
前記像形成構造体は、前記黒用の現像装置に対向する位置に前記像保持体が配置される位置を初期位置とする請求項１又は２記載の画像形成装置。
【請求項４】
前記像保持体を帯電する帯電装置をさらに有し、
前記像形成構造体は、前記帯電装置を前記像保持体と一体に有する請求項１乃至３いずれか記載の画像形成装置。
【請求項５】
前記像保持体を清掃する清掃装置をさらに有し、
前記像形成構造体は、前記清掃装置を前記像保持体と一体に有する請求項１乃至４いずれか記載の画像形成装置。
【請求項６】
画像形成装置本体と、
この画像形成装置本体内に設けられ、像を保持する像保持体及びこの像保持体に潜像を形成する書き込み装置を一体に有する像形成構造体と、
前記画像形成装置本体に対して固定され、前記像保持体が保持する潜像を現像する複数の現像装置と、
前記像形成構造体を前記現像装置に対して移動させる移動手段と、
前記像保持体が前記現像装置のいずれかに対向するいずれかの現像位置に所定の順序で移動するように前記移動手段を制御する移動制御手段と、
を有する画像形成装置。
【請求項７】
前記像保持体は、前記像形成構造体の移動方向における幅が、前記複数の現像装置の幅よりも狭い請求項１乃至７いずれか記載の画像形成装置。
【請求項８】
画像形成装置本体と、
この画像形成装置本体内に設けられ、像を保持する像保持体及びこの像保持体に潜像を形成する書き込み装置を一体に有する像形成構造体と、
前記画像形成装置本体内に設けられ、前記像保持体が保持する潜像を現像する複数の現像装置と、
前記像形成構造体を前記画像形成装置本体に対して移動させる第１の移動手段と、
前記現像装置を前記画像形成装置本体に対して移動させる第２の移動手段と、
前記像保持体が前記現像装置のいずれかに対向するいずれかの現像位置に所定の順序で移動するように前記第１及び第２の移動手段を制御する移動制御手段と、
を有する画像形成装置。
【発明の詳細な説明】
【技術分野】
【０００１】
本発明は、画像形成装置に関する。
【背景技術】
【０００２】
現像剤を各色毎に保持する複数の現像剤保持体と、各前記現像剤保持体と接触可能に配置され、各前記現像剤保持体から供給される現像剤によって現像される可視像を保持する感光体とを備える画像形成装置において、各前記現像剤保持体と前記感光体とは、それらの接触部分において、ともに下向きに移動するとともに、前記感光体に保持される可視像が転写される第１転写体と、前記第１転写体に形成される可視像が転写され、その可視像を記録媒体に転写するための第２転写体とを備えている画像形成装置が知られている（特許文献１）。
【０００３】
【特許文献１】特開２００２−３４１６２５
【発明の開示】
【発明が解決しようとする課題】
【０００４】
複数の現像装置に対し感光体を移動しない画像形成装置と比較して、小型化することができる画像形成装置を提供することを目的とする。
【課題を解決するための手段】
【０００５】
請求項１に係る本発明は、像を保持する像保持体及びこの像保持体に潜像を形成する書き込み装置を一体に有する像形成構造体と、前記像保持体が保持する潜像を現像する複数の現像装置と、前記像形成構造体を前記現像装置に対して移動させる移動手段と、前記像保持体が前記現像装置のいずれかに対向する現像位置に所定の順序で移動するように、前記移動手段を制御する制御手段とを有する画像形成装置である。ここで、一体とは、互いの相対距離が一定であるように固定されている状態をいう。
【０００６】
請求項２に係る本発明は、前記像形成構造体に前記像保持体と一体に設けられ、前記像保持体を駆動する駆動装置と、前記像形成構造体の移動中に前記像保持体を駆動するように、前記駆動装置を制御する駆動装置制御手段と、をさらに有する請求項１記載の画像形成装置である。
【０００７】
請求項３に係る本発明は、前記現像装置の一つは黒用であり、前記像形成構造体は、前記黒用の現像装置に対向する位置に前記像保持体が配置される位置を初期位置とする請求項１又は２記載の画像形成装置である。
【０００８】
請求項４に係る本発明は、前記像保持体を帯電する帯電装置をさらに有し、前記像形成構造体は、前記帯電装置を前記像保持体と一体に有する請求項１乃至３いずれか記載の画像形成装置である。
【０００９】
請求項５に係る本発明は、前記像保持体を清掃する清掃装置をさらに有し、前記像形成構造体は、前記清掃装置を前記像保持体と一体に有する請求項１乃至４いずれか記載の画像形成装置である。
【００１０】
請求項６に係る本発明は、画像形成装置本体と、この画像形成装置本体内に設けられ、像を保持する像保持体及びこの像保持体に潜像を形成する書き込み装置を一体に有する像形成構造体と、前記画像形成装置本体に対して固定され、前記像保持体が保持する潜像を現像する複数の現像装置と、前記像形成構造体を前記現像装置に対して移動させる移動手段と、前記像保持体が前記現像装置のいずれかに対向するいずれかの現像位置に所定の順序で移動するように前記移動手段を制御する移動制御手段と、を有する画像形成装置である。
【００１１】
請求項７に係る本発明は、前記像保持体は、前記像形成構造体の移動方向における幅が、前記複数の現像装置の幅よりも狭い請求項１乃至７いずれか記載の画像形成装置である。
【００１２】
請求項８に係る本発明は、画像形成装置本体と、この画像形成装置本体内に設けられ、像を保持する像保持体及びこの像保持体に潜像を形成する書き込み装置を一体に有する像形成構造体と、前記画像形成装置本体内に設けられ、前記像保持体が保持する潜像を現像する複数の現像装置と、前記像形成構造体を前記画像形成装置本体に対して移動させる第１の移動手段と、前記現像装置を前記画像形成装置本体に対して移動させる第２の移動手段と、前記像保持体が前記現像装置のいずれかに対向するいずれかの現像位置に所定の順序で移動するように前記第１及び第２の移動手段を制御する移動制御手段と、を有する画像形成装置にある。
【発明の効果】
【００１３】
請求項１に係る本発明によれば、像保持体と書き込み装置を一体に構成しない装置と比較し、像保持体に安定した潜像を形成し、安定した画像形成をすることができるとともに、複数の現像装置に対し感光体を移動しない画像形成装置と比較して、現像装置を移動させるための空間をなくしたり狭くしたりすることで小型化することができる画像形成装置を提供することができる。
【００１４】
請求項２に係る本発明によれば、請求項１に係る本発明の効果に加えて、像形成構造体を移動させた後に像保持体への駆動伝達を開始する必要がなく、画像形成の生産性が高い画像形成装置を提供することができる。
【００１５】
請求項３に係る本発明によれば、請求項１又は２に係る本発明の効果に加えて、初期位置で像形成構造体を移動させることなく黒の現像剤を用いた画像形成をすることができる画像形成装置を提供することができる。
【００１６】
請求項４に係る本発明によれば、請求項１乃至３いずれかに係る本発明の効果に加えて、安定した像保持体の帯電を行うことができる画像形成装置を提供することができる。
【００１７】
請求項５に係る本発明によれば、請求項１乃至４いずれかに係る本発明の効果に加えて、安定した像保持体の清掃を行うことができる画像形成装置を提供することができる。
【００１８】
請求項６に係る本発明によれば、像保持体に安定した潜像を形成し、安定した画像形成をすることができるとともに、現像装置を移動させるための空間をなくすことで小型化することができる画像形成装置を提供することができる。
【００１９】
請求項７に係る本発明によれば、請求項１乃至７いずれかに係る本発明の効果に加えて、本構成を有しない場合と比較して、像形成構造体の移動方向の大きさを小型とすることができる画像形成を提供することができる。
【００２０】
請求項８に係る本発明によれば、像保持体に安定した潜像を形成し、安定した画像形成をすることができるとともに、現像装置を移動させるための空間及び像形成構造体を移動させるために必要な空間を狭くすることで小型化することができる画像形成装置を提供することができる。
【発明を実施するための最良の形態】
【００２１】
次に本発明の実施形態を図面に基づいて説明する。
図１には、本発明の第１の実施形態に係る画像形成装置１０が示されている。この画像形成装置１０は、画像形成装置本体１２を有し、画像形成装置本体１２内に、画像形成部１４と、シート供給装置１６とが配置されている。また、画像形成装置本体１２の外側には、操作手段として用いられる操作パネル１８が設けられているとともに、画像形成がなされたシートが排出される排出部として用いられる排出トレー２０が、例えば、画像形成装置本体１２から着脱することができるように装着されている。
【００２２】
画像形成部１４は、像形成構造体２２と、例えば４つの現像装置２４Ｙ、２４Ｍ、２４Ｃ、２４Ｋと、ベルトユニット２６と、定着装置２７とを有する。
【００２３】
像形成構造体２２は、筺体２８を有し、筺体２８内に、像保持体として用いられる感光体３０、帯電装置３２、潜像形成装置３４、転写装置３６、及び清掃装置４２が収容されている。感光体３０は、像保持体として用いられ、例えは略円筒形状からなる。帯電装置３２は、感光体３０を帯電する帯電手段として用いられ、例えば帯電ロールからなる。潜像形成装置３４は、感光体に３０に潜像を形成する書き込み装置として用いられ、例えばＬＥＤ（ｌｉｇｈｔ  ｅｍｉｔｔｉｎｇ   ｄｉｏｄｅ：発光ダイオード）から構成され、例えば感光体３０を露光することにより感光体３０に潜像を形成する。転写装置３６は転写手段として用いられ、後述する現像装置２４で潜像が現像されることによって形成された現像剤像を、後述する中間転写ベルト６０に転写する。清掃装置４２は、清掃手段として用いられ、転写後に感光体３０表面に残った現像剤を、例えばブレードを用いて清掃する。
【００２４】
また、像形成構造体２２には、駆動装置４４が設けられている。駆動装置４４は、駆動手段として用いられ、例えばモータ等の駆動源（不図示）を有し、駆動源からの駆動を感光体３０に伝達して、感光体３０を駆動する。このように、像形成構造体２２は、感光体３０と潜像形成装置３４を一体に有するとともに、像形成構造体２２には、感光体３０と一体に駆動装置４４が設けられている。また、像形成構造体２２は、感光体３０と帯電装置３２を一体に有するとともに、感光体３０と清掃装置４２を一体に有している。ここで、一体とは、互いの相対距離が一定であるように固定されている状態をいう。
【００２５】
また、像形成構造体２２は、移動手段として用いられる像形成構造体移動装置５０に連結されている。像形成構造体移動装置５０は、例えばモータ等の駆動源（不図示）を備え、筺体２８と、筺体２８内に収納された感光体３０、帯電装置３２、潜像形成装置３４、転写装置３６、及び清掃装置４２を、一体として、すなわち、互いの相対距離が一定であるように固定された状態で、画像形成装置本体１２内で例えば上下方向に移動させる。像形成構造体移動装置５０による像形成構造体２２の移動の詳細については後述する。
【００２６】
４つの現像装置２４Ｙ、２４Ｍ、２４Ｃ、２４Ｋは、感光体３０が保持する潜像を、イエローの現像剤、マゼンダの現像剤、シアンの現在、黒色の現像剤を用いて、それぞれが現像する。４つの現像装置は、重力方向に略直線状となるように並べられていて、重力方向下側から順に、現像装置２４Ｙ、現像装置２４Ｍ、現像装置２４Ｃ、現像装置２４Ｋの順に配置されている。現像装置２４Ｙ、２４Ｍ、２４Ｃ、２４Ｋは、それぞれ、現像剤保持体として用いられる現像ロール５２と、オーガ５４、５６を有し、オーガ５４、５６によって撹拌され、現像ロール５２へと搬送された現像剤を用いて、それぞれが感光体３０の保持する潜像を現像する。
【００２７】
ベルトユニット２６は、転写媒体として用いられる中間転写ベルト６０と、中間転写ベルト６０を回転可能に支持する支持ロール６２、６４と、転写手段として用いられる２転写ロール６６とを有する。支持ロール６２は、中間転写ベルト６０を駆動する駆動ロールとして用いられ、中間転写ベルト６０を図１に示す矢印方向に回転駆動させる。支持ロール６４は、従動ロールとして用いられ、中間転写ベルト６０に従動して回転する。中間転写ベルト６０は、感光体３０と転写装置３６との間を通過する状態で、支持ロール６２、６４に支持されている。２次転写ロール６６は、中間転写ベルト６０に転写された現像剤像を、さらにシートへと２次転写する。
【００２８】
定着装置２７は、定着手段として用いられ、中間転写ベルト６０からシートへと転写された現像剤を、例えば加熱し、加圧することでシートに定着させる。
【００２９】
シート供給装置１６は、転写媒体として用いられ、例えば普通紙やＯＨＰシートからなるシートを積層して収容する収容容器７０と、収容容器７０に収容されたシートをピックするピックアップロール７２と、シートを捌きながら送り出す捌きロール７４とを有する。収容容器７０は、例えば、図１中、左側に引き出すことができるようにしても良い。
【００３０】
シート供給装置１６は、レジストロール７６を有している。レジストロール７６は、ピックアップロール７２によりビックアップされたシートの先端部を一旦停止させ、先端部が一旦停止した状態にあるシートを、中間転写ベルト６０と２次転写ロール６６との接触部へタイミングをとって送り込む。
【００３１】
画像形成装置１０では、像形成構造体２２の移動方向における像形成構造体２２の幅及び感光体３０の幅が、複数の現像装置２４Ｙ、２４Ｍ、２４Ｃ、２４Ｋの幅よりも狭くなっている。すなわち、感光体３０の上下方向の幅をＬ２とし、複数の現像装置２４Ｙ、２４Ｍ、２４Ｃ、２４Ｋの上下方向の幅をＬ１とした場合、Ｌ２はＬ１よりも短くなっている（Ｌ２＜Ｌ１）。ここで、複数の現像装置２４Ｙ、２４Ｍ、２４Ｃ、２４Ｋの上下方向の幅とは、４つの現像装置のうち上端側に位置する現像装置２４Ｋの上端部と、下端側に位置する現像装置２４Ｙの下端部との距離をいう。また、像形成構造体２２の上下方向の幅をＬ３とした場合、Ｌ３はＬ１よりも短くなっている（Ｌ３＜Ｌ１）。
【００３２】
図２には、像形成構造体移動装置５０によって、像形成構造体２２が移動する状態が説明されている。像形成構造体２２は、図２（ａ）に示される位置を初期位置として移動し、通常、一連の画像形成が終了した時点、画像形成装置１０の電源がＯＮとされた時点等においては、図２（ａ）に示す位置に配置された状態となる。初期位置にある像形成構造体２２に収納された状態にある感光体３０、すなわち、初期位置にある感光体３０は、保持する潜像が現像装置２４Ｙによって現像がなされる位置に配置された状態となる。この図２（ａ）に示す感光体３０及び像形成構造体２２の位置を、イエロー現像剤を用いる現像装置２４Ｙによって現像がなされる位置であることから、以下、イエロー現像位置と称する。
【００３３】
図２（ａ）示される位置から、像形成構造体移動装置５０によって、像形成構造体２２が上方に移動すると、図２（ｂ）に示されるように、像形成構造体２２に収納された感光体３０は、保持する潜像が現像装置２４Ｍによって現像がなされる位置に配置された状態となる。この図２（ｂ）に示す感光体３０及び像形成構造体２２の位置を、マゼンダ現像剤を用いる現像装置２４Ｍによって現像がなされる位置であることから、以下、マゼンダ現像位置と称する。
【００３４】
図２（ｂ）示される位置から、像形成構造体移動装置５０によって、像形成構造体２２が上方に移動すると、図２（ｃ）に示されるように、像形成構造体２２に収納された感光体３０は、保持する潜像が現像装置２４Ｃによって現像がなされる位置に配置された状態となる。この図２（Ｃ）に示す感光体３０及び像形成構造体２２の位置を、シアン現像剤を用いる現像装置２４Ｃによって現像がなされる位置であることから、以下、シアン現像位置と称する。
【００３５】
図２（ｃ）示される位置から、像形成構造体移動装置５０によって、像形成構造体２２が上方に移動すると、図２（ｄ）に示されるように、像形成構造体２２に収納された感光体３０は、保持する潜像が現像装置２４Ｋによって現像がなされる位置に配置された状態となる。この図２（ｄ）に示す感光体３０及び像形成構造体２２の位置を、黒現像剤を用いる現像装置２４Ｋによって現像がなされる位置であることから、以下、黒現像位置と称する。
【００３６】
図２に示される各位置の間を、感光体３０と潜像形成装置３４とは、ともに筺体２８に収納された状態で一体として移動する。このため、感光体３０が移動しても、感光体３０と潜像形成装置３４との距離は変化せずに一定である。よって、感光体３０が移動することにより、感光体３０と潜像形成装置３４との距離が変わるような構成で必要になる、感光体３０が移動しても潜像形成装置３４から感光体３０までの露光長を一定にするための露光長調整用の光学系を、この実施形態に係る画像形成装置１０は有していない。
【００３７】
また、図２に示される各位置の間を、感光体３０と駆動装置４４とは一体として移動する。このため、画像形成装置本体１２側に駆動装置が設けられていた場合に必要になる各現像位置に配置された状態にある感光体３０に駆動源からの駆動を伝達するための、例えばギア列等からなる駆動伝達機構を、この実施形態に係る画像形成装置１０は有していない。
【００３８】
図３には、画像形成装置１０が有する制御装置１００が示されている。
制御装置１００は、移動制御手段として用いられるとともに駆動装置制御手段として用いられ、例えばＣＰＵからなる制御回路１０２を有し、制御回路１０２に通信インターフェイス１０４を介して画像データが入力される。また、制御回路１０２には、操作パネル１８からの出力が入力される。そして、制御回路１０２からの出力によって、画像形成部１４、シート供給装置１６、及び像形成構造体移動装置５０が制御される。
【００３９】
図４乃至６には、制御装置１００による制御のフローチャートが示されている。
図４に示されるように、画像形成動作がスタートすると、ステップＳ１０で、制御装置１００は、例えば操作パネル１８からの出力に基づき、モードが単色モードであるか否かの判別を行う。ここで、単色モードとは、イエロー現像剤、マゼンダ現像剤、シアン現像剤、又は黒現像剤のいずれか一つの現像剤を用いて、単色の画像を形成するモードのことをいう。ステップＳ１０で単色モードであるとの判別がなされた場合、単色モードを実行する次のステップＳ１００と進む。
【００４０】
一方、ステップＳ１０で単色モードであるとの判別がなされなかった場合、次のステップＳ２００へと進む。ステップＳ２００では、多色モードによる画像形成がなされる。ここで、多色モードとは、イエロー現像剤、マゼンダ現像剤、シアン現像剤、及び黒現像剤を用いて、これらの現像剤により形成される現像剤像を重ね合わせることによって、フルカラーの画像を形成するモードをいう。
【００４１】
図５には、単色モードで画像形成がなされる際の、制御装置１００による制御のフローチャートが示されている。単色モードがスタートすると、ステップＳ１０２で、制御装置１００は、形成する画像がＫ単色であるか否かの判別を行う。そして、形成する画像が黒単色であるとの判別がなされた場合、次のステップＳ１０４に進む。
【００４２】
ステップＳ１０４において、制御装置１００は、像形成構造体移動装置５０を制御して、感光体３０を、例えば、図２（ａ）に示される初期位置から、図２（ｄ）に示される黒現像位置へと移動させ、次のステップＳ１０６へと進む。
【００４３】
ステップＳ１０６では、制御装置１００は、画像形成部１４を制御して、画像形成部１４に黒画像の形成を行わせる。すなわち、制御装置１００は、帯電装置３２に感光体３０の表面を帯電させ、潜像形成装置３４に感光体３０の表面に潜像を形成させ、黒色の現像剤を用いる現像装置２４Ｋに感光体３０表面の潜像を現像させ、転写装置３６に、感光体３０の表面に形成された黒色の現像剤像を中間転写ベルト６０へと転写させる。そして、中間転写ベルト６０に転写された黒色現像剤像は、２次転写ロール６６によりシートに転写され、定着装置２７に転写される。
【００４４】
次のステップＳ１０８では、画像形成がなされたシートが最後のシートであるか否かの判別がなされ、最後のシートであるとの判別がなされた場合は、次のステップＳ１１０へと進む。一方、最後のシートではないとの判別がなされた場合、ステップＳ１０２へと戻る。
【００４５】
ステップ、Ｓ１１０では、制御装置１００は、像形成構造体移動装置５０を制御して、感光体３０を、図２（ａ）に示されるイエロー現像位置、すなわち初期位置へと移動させて、一連の単色モードの画像形成が終了する。
【００４６】
先述のステップＳ１０２で、形成する画像が黒単色であるとの判別がなされなかった場合、ステップＳ１２０へと進む。ステップＳ１２０では、形成する画像がシアン単色であるか否かの判別がなされる。そして、形成される画像がシアン単色であるとの判別がなされた場合、次のステップＳ１２２へと進む。
【００４７】
ステップＳ１２２では、制御装置１００は、像形成構造体移動装置５０を制御して、感光体３０を、例えば、図２（ａ）に示される初期位置から図２（Ｃ）に示されるシアン現像位置へと移動させ、次のステップＳ１２４へと進む。
【００４８】
ステップＳ１２４では、制御装置１００は、画像形成部１４を制御して、画像形成部１４にシアン画像の形成を行わせる。この際、現像装置としては、現像装置２４Ｃが用いられる。
【００４９】
次に、黒色単色画像を形成する場合と同様に、ステップＳ１０８で最後のシートであるか否かの判別がなされ、最後のシートであるとの判別がなされた場合、ステップＳ１１０で、制御装置１００は、像形成構造体移動装置５０を制御して、感光体３０を、図２（ａ）に示されるイエロー現像位置へ移動さて、一連の単色モードの画像形成が終了する。
【００５０】
また、ステップＳ１１０で、最後のシートであるとの判別がなされなかた場合、先述の黒単色画像を生成する場合と同様に、ステップＳ１０２へと戻る。
【００５１】
先述のステップＳ１２０で、形成する画像がシアン単色であるとの判別がなされなかった場合、ステップＳ１３０へと進む。ステップＳ１３０では、形成する画像がマゼンダ単色であるか否かの判別がなされる。そして、形成される画像がマゼンダ単色であるとの判別がなされた場合、次のステップＳ１３２へと進む。
【００５２】
ステップＳ１３２では、制御装置１００は、像形成構造体移動装置５０を制御して、感光体３０を、図２（ａ）に示される初期位置から図２（ｂ）に示されるマゼンダ像位置へと移動させ、次のステップＳ１３４へと進む。
【００５３】
ステップＳ１３４では、制御装置１００は、画像形成部１４を制御して、画像形成部１４にマゼンダ画像の形成を行わせる。この際、現像装置としては、現像装置２４Ｍが用いられる。
【００５４】
次に、黒色単色画像、シアン単色画像を形成する場合と同様に、ステップＳ１０８で最後のシートであるか否かの判別がなされ、最後のシートであるとの判別がなされた場合、ステップＳ１１０で、制御装置１００は、像形成構造体移動装置５０を制御して、感光体３０を、図２（ａ）に示されるイエロー現像位置へ移動さて、一連の単色モードの画像形成が終了する。
【００５５】
また、ステップＳ１１０で、最後のシートであるとの判別がなされなかった場合、先述の黒色画像、シアン画像を生成する場合と同様に、ステップＳ１０２へと戻る。
【００５６】
先述のステップＳ１３０で、形成する画像がマゼンダ単色でないとの判別がなされた場合、形成させる単色画像が黒単色、シアン単色、マゼンダ単色のいずれでもないことから、イエロー単色画像を形成するべく、次のステップＳ１４０に進む。
【００５７】
ステップＳ１４０では、制御装置１００は、像形成構造体移動装置５０を制御して、感光体３０を、図２（ａ）に示されるイエロー現像位置へと移動させる。ステップＳ１４０は、例えば一連の画像形成動作の最初の１枚目のシートにイエロー画像を形成する場合など、もともと感光体３０がイエロー現像位置にある場合は不要である。ステップＳ１４０では、例えば１枚前のシートにシアン単色画像の形成がなされ、感光体３０がシアン現像位置にある状態から、イエロー単色画像の形成を行う場合であれば、制御装置１００は、像形成構造体移動装置５０を制御して、感光体３０を、図２（ｃ）に示されたシアン現像位置から、図２（ａ）に示すイエロー現像位置へと移動させる。
【００５８】
ステップＳ１４２では、制御装置１００は、画像形成部１４を制御して、画像形成部１４にイエロー画像の形成を行わせる。この際、現像装置としては、現像装置２４Ｙが用いられる。
【００５９】
次のステップＳ１０８では、最後のシートであるか否かの判別がなされ、最後のシートであるとの判別がなされかった場合、ステップＳ１０２へと戻る。一方、ステップＳ１０８で、最後のシートであるとの判別がなされた場合、ステップＳ１１０で、像形成構造体２２がイエロー現像位置にあることを確認し、一連の単色モードの画像形成が終了する。
【００６０】
以上の単色モードによる画像形成がなされる制御フローにおいて、ステップＳ１０４、ステップＳ１２２、ステップＳ１３２、及びステップＳ１４０で像形成構造体２２を移動させる際に、像形成構造体２２の移動中に駆動装置４４を用いて感光体３０を駆動するように、制御回路１０２を用いて制御を行うことが望ましい。像形成構造体２２の移動中に感光体３０を駆動させれば、像形成構造体２２の移動後に感光体３０への駆動伝達を開始する場合と比較して、移動後の像形成構造体２２を用いて画像形成を開始するまでの待ち時間が短くなる。
【００６１】
図６には、多色モードで画像形成がなされる際の、制御装置１００による制御のフローチャートが示されている。多色モードによる制御は、先述のステップＳ１０で（図４参照）、単色画像モードであるとの判別がなされなかった場合に実行される。多色モードがスタートすると、ステップＳ２０２で、制御装置１００は、画像形成部１４を制御して、イエロー画像の形成を行わせる。この際、現像装置としては、現像装置２４Ｙが用いられる。尚、多色モード、単色モードともに一連の画像形成動作が終了した後に、像形成構造体２２は、図２（ａ）に示される初期位置であるイエロー現像位置へと移動するように制御されるために、ステップＳ２０２に先立ち、像形成構造体２２をイエロー現像位置へ移動させるための動作は、特に必要ない。
【００６２】
ステップＳ２０２では、感光体３０の表面にイエロー現像剤像が形成され、このイエロー現像剤像が中間転写ベルト６０へと転写される。
【００６３】
次のステップＳ２０４では、制御装置１００は、像形成構造体移動装置５０を制御して、感光体３０を、マゼンダ現像位置へと移動させる。
【００６４】
次のステップＳ２０６では、感光体３０にマゼンダ現像剤像が形成され、このマゼンダ現像剤像が、イエロー現像剤像に重ねあわされるようにして、中間転写ベルト６０に転写される。ステップＳ２０６では、現像装置として現像装置２４Ｍが用いられる。
【００６５】
次のステップＳ２０８では、制御装置１００は、像形成構造体移動装置５０を制御して、感光体３０を、シアン現像位置へと移動させる。
【００６６】
次のステップＳ２１０では、感光体３０にシアン現像剤像が形成され、このシアン現像剤像が、イエロー現像剤像及びマゼンダ現像剤像に重ねあわされるようにして、中間転写ベルト６０に転写される。ステップＳ２０６では、現像装置として現像装置２４Ｃが用いられる。
【００６７】
次のステップＳ２１２では、制御装置１００は、像形成構造体移動装置５０を制御して、感光体３０を、黒現像位置へと移動させる。
【００６８】
次のステップＳ２１４では、感光体３０に黒現像剤像が形成され、この黒現像剤像が、イエロー現像剤像、マゼンダ現像剤像、及びシアン現像剤像に重ねあわされるようにして、中間転写ベルト６０に転写される。ステップＳ２０６では、現像装置として現像装置２４Ｋが用いられる。
【００６９】
次のステップＳ２１６では、制御装置１００は、シート供給装置１６を制御し、２次転写ロール６６に、中間転写ベルト６０に保持された、イエロー現像剤像、マゼンダ現像剤像、シアン現像剤像、及び黒現像剤像が重ねられた多色の現像剤像をシートに転写させる。そして、シートに転写された多色の現像剤像は、定着装置２７によってシートに定着される。
【００７０】
次のステップＳ２１８では、制御装置１００は、像形成構造体移動装置５０を制御して、感光体３０を、図２（ａ）に示すイエロー現像位置（初期位置）へと移動させる。
【００７１】
次のステップＳ２２０では、画像形成がなされたシートが最後のシートであるか否かの判別がなされ、最後のシートであるとの判別がなされた場合、多色モードが終了し、一連の画像形成動作が終了する。一方、ステップＳ２２０で、画像形成がなされたシートが最後のシートであるとの判別がなされなかった場合、ステップＳ２０２へと戻る。
【００７２】
以上の多色モードによる画像形成がなされる制御フローにおいて、ステップＳ１０４、ステップＳ２０４、ステップＳ２０８、及びステップＳ２１２で像形成構造体２２を移動させる際に、像形成構造体２２の移動中に駆動装置４４を用いて感光体３０を駆動するように、制御回路１０２を用いて制御を行うことが望ましい。像形成構造体２２の移動中に感光体３０を駆動させれば、像形成構造体２２の移動後に感光体３０への駆動伝達を開始する場合と比較して、移動後の像形成構造体２２を用いて画像形成を開始するまでの待ち時間が短くなる。
【００７３】
図７には、本発明の第２の実施形態に係る画像形成装置１０が示されている。
先述の第１の実施形態においては、像形成構造体２２の筺体２８内には、感光体３０、帯電装置３２、潜像形成装置３４、転写装置３６、及び清掃装置４２が収容されていた。これに対して、この第２の実施形態では、筺体２８内に、感光体３０、帯電装置３２、潜像形成装置３４、及び清掃装置４２は収納されているものの、転写装置３６は収納されていない。像形成構造体２２内に転写装置３６を収納することに替えて、この第２の実施形態では、転写装置３６Ｋ、３６Ｙ、３６Ｍ、３６Ｃが、ベルトユニット２６の中間転写ベルト６０の内側の位置に設けられている。
【００７４】
転写装置３６Ｋ、３６Ｙ、３６Ｍ、３６Ｃは、略鉛直方向に、略直線状に配置されていて、重力方向下側から順に、転写装置３６Ｋ、転写装置３６Ｙ、転写装置３６Ｍ、転写装置３６Ｃと配置されている。転写装置３６Ｋ、３６Ｙ、３６Ｍ、３６Ｃは、感光体３０が保持する黒現像剤像、イエロー現像剤像、マゼンダ現像剤像、シアン現像剤像を中間転写ベルト６０に転写するために、それぞれが用いられる。
【００７５】
また、第１の実施形態では、現像装置２４は、重力方向下方から順番に、現像装置２４Ｙ、現像装置２４Ｍ、現像装置２４Ｃ、現像装置２４Ｋと配置されていた。これに対して、この第２の実施形態では、現像装置２４は、重力方向下方から順に、現像装置２４Ｋ、現像装置２４Ｙ、現像装置２４Ｍ、現像装置２４Ｃと配置されている。像形成構造体２２の初期位置は、第１の実施形態と同様に、最も下方に位置する現像装置によって感光体３０による現像なされる位置である。このため、感光体３０は、初期位置で、複数の現像装置２４Ｙ、２４Ｍ、２４Ｃ、２４Ｋのうち、黒の現像剤を用いる現像装置２４Ｋによって現像保持する潜像の現像がなされることになる。
【００７６】
また、転写装置３６Ｋ、３６Ｙ、３６Ｍ、３６Ｃによって感光体３０から中間転写ベルト６０に、それぞれ現像剤像が転写される各１次転写位置から、中間転写ベルト６０に転写された現像剤が２次転写ロール６６によってシートに転写される２次転写位置までの距離が最短となる位置で、複数の現像装置２４Ｙ、２４Ｍ、２４Ｃ、２４Ｋのうちの、現像装置２４Ｋによって、感光体３０の現像がなされる。すなわち、黒現像剤像が１次転写位置から２次転写位置まで搬送される距離Ｌ４は、イエロー現像剤像、マゼンダ現像剤像、シアン現像剤像が、１次転写位置から２次転写位置まで搬送される距離よりも短くなっている。尚、第１の実施形態と同一部分については、図７に同一番号を付して説明を省略する。
【００７７】
図８には、本発明の第３の実施形態に係る画像形成装置１０が示されている。
先述の第１の実施形態と比較すると、第１の実施形態では、像形成構造体２２に収納された感光体３０が、例えば上下に移動することによって、感光体３０の現像に用いる現像装置が選択されるようになっていたが、この第２の実施形態では、感光体３０が移動するとともに、現像装置２４Ｙ、２４Ｍ、２４Ｃ、２４Ｋが移動することによって、感光体３０の現像に用いる現像装置の選択がなされるようになっている。
【００７８】
この第３の実施形態では、現像装置は、第１の実施形態と同様に重力方向下方から順に、現像装置２４Ｙ、２４Ｍ、２４Ｃ、２４Ｋの順に略直線状に配置されている。そして、現像装置２４Ｋ、２４Ｙ、２４Ｍ、２４Ｃは、一つの現像装置筺体８０の中に、現像ロール５２の少なくとも一部分が、感光体３０が配置された側に露出するように収納されている。
【００７９】
現像装置筺体８０には、第２の移動手段として用いられる現像装置移動装置８２が連結されている。現像装置移動装置８２は、例えばモータ等の駆動源（不図示）を備え、現像装置２４Ｋ、２４Ｙ、２４Ｍ、２４Ｃを一体として画像形成装置本体１２内で上下方向に移動させる。
【００８０】
また、第１の実施形態では、感光体３０は、感光体３０が保持する潜像が現像装置２４Ｙによって現像される位置、現像装置２４Ｍによって現像される位置、現像装置２４Ｃによって現像される位置、及び現像装置２４Ｋによって現像される位置との４つの位置の間を移動するようになっていた。これに対して、この第３の実施形態では、感光体３０は、図８に実線で示される第１の位置と、図８に２点鎖線で示される第２の位置との間を移動するようになっている。尚、第３の実施形態において、第１の実施形態との同一部分については、同一番号を付して説明を省略する。
【００８１】
図９には、像形成構造体移動装置５０によって感光体３０が移動する状態と、現像装置移動装置８２によって、現像装置筺体８０が移動する状態とが示されている。感光体３０は、先述のように図９（ａ）及び図９（ｂ）に示される第１の位置と、図９（ｃ）及び図９（ｄ）に示される第２の位置との間を移動するようになっている。また、現像装置筺体８０は、図９（ａ）及び図９（ｃ）に示される第１の位置と、この第１の位置よりも下方の、図９（ｂ）及び図９（ｄ）に示される第２の位置との間を移動するようになっている。
【００８２】
感光体３０及び現像装置筺体８０は、図９（ａ）に示される位置を初期位置として移動し、通常、一連の画像形成が終了した時点、画像形成装置１０の電源がＯＮとされた時点等においては、それぞれ図９（ａ）に示す位置に配置された状態となる。感光体３０及び現像装置筺体８０が初期位置にある状態では、感光体３０が保持する潜像を、イエロー現像剤を用いる現像装置２４Ｙを用いて現像することができる。そこで、図９（ａ）に示される位置を以下、イエロー現像位置と称する。
【００８３】
また、図９（ｂ）に示される位置で、マゼンダ現像剤を用いる現像装置２４Ｍで潜像が現像されるとの意味で、以下、図９（ｂ）に示される位置をマゼンダ現像位置と称する。また、図９（ｃ）に示される位置で、シアン現像剤を用いる現像装置２４Ｃで潜像が現像されるとの意味で、以下、図９（ｃ）に示される位置をシアン現像位置と称する。また、図９（ｄ）に示される位置で、黒現像剤を用いる現像装置２４Ｋで潜像が現像されるとの意味で、以下、図９（ｄ）に示される位置を黒現像位置と称する。
【００８４】
図１０には、第３の実施形態に係る画像形成装置が有する制御装置１００が示されている。先述の第１の実施形態では、制御装置１００には、操作パネル１８からの出力が入力され、制御装置１００からの出力によって、画像形成部１４、シート供給装置１６、及び像形成構造体移動装置５０が制御された。これに対して、この第３の実施形態では、制御装置１００からの出力によって、画像形成部１４、シート供給装置１６、及び像形成構造体移動装置５０に加えて、現像装置移動装置８２が制御される。
【００８５】
図１１及び１２には、第３の実施形態に用いられる制御装置１００による制御のフローチャートが示されている。画像形成動作がスタートすると、第１の実施形態と同様に、例えば操作パネル１８からの出力に基づき、モードが単色モードであるか否かの判別がなされる（図４参照）。図１１には単色モードへ進んだ場合のフローチャートが、図１２には多色モードに進んだ場合のフローチャートが示されている。
【００８６】
図１１に示されるように、単色モードがスタートすると、ステップＳ１０２で、制御装置１００は、形成する画像がＫ単色であるか否かの判別を行う。そして、形成する画像が黒単色であるとの判別がなされた場合、次のステップＳ１０４に進む。
【００８７】
ステップＳ１０４において、制御装置１００は、像形成構造体移動装置５０及び現像装置移動装置８２を制御して、図９（ａ）に示される初期位置から、感光体３０を上昇させて第２の位置へ、現像装置筺体８０を下降させて第２の位置へとそれぞれ移動させ、像形成構造体２２及び現像装置筺体８０を図９（ｄ）に示される黒現像位置に配置された状態として、次のステップＳ１０６へと進む。
【００８８】
ステップＳ１０６では、黒単色画像の形成がなされる。
【００８９】
次のステップＳ１０８では、画像形成がなされたシートが最後のシートであるか否かの判別がなされ、最後のシートであるとの判別がなされた場合は、次のステップＳ１１０へと進む。一方、最後のシートではないとの判別がなされた場合、ステップＳ１０２へと戻る。
【００９０】
ステップ、Ｓ１１０では、制御装置１００は、像形成構造体移動装置５０及び現像装置筺体８０を制御し、感光体３０及び現像装置筺体８０を、図９（ａ）に示されるイエロー現像位置、すなわち初期位置へと移動さて、一連の単色モードの画像形成が終了する。
【００９１】
先述のステップＳ１０２で、形成する画像がＫ単色であるとの判別がなされなかった場合、ステップＳ１２０へと進む。ステップＳ１２０では、形成する画像がシアン単色であるか否かの判別がなされる。そして、形成される画像がシアン単色であるとの判別がなされた場合、次のステップＳ１２２へと進む。
【００９２】
ステップＳ１２２では、制御装置１００は、像形成構造体移動装置５０を制御して、感光体３０及び現像装置筺体８０を、図２（ａ）に示される初期位置から図２（ｃ）に示されるシアン現像位置へと上昇するように移動させ、次のステップＳ１２４へと進む。
【００９３】
ステップＳ１２４では、制御装置１００は、画像形成部１４を制御して、画像形成部１４にシアン画像の形成を行わせる。この際、現像装置としては、現像装置２４Ｃが用いられる。
【００９４】
次に、黒色単色画像を形成する場合と同様に、ステップＳ１０８で最後のシートであるか否かの判別がなされ、最後のシートであるとの判別がなされた場合、ステップＳ１１０で、制御装置１００は、像形成構造体移動装置５０を制御して、感光体３０を、下降させるように図９（ａ）に示されるイエロー現像位置へ移動さて、一連の単色モードの画像形成が終了する。
【００９５】
また、ステップＳ１０８で、最後のシートであるとの判別がなされなかった場合、先述の黒単色画像を生成する場合と同様に、ステップＳ１０２へと戻る。
【００９６】
先述のステップＳ１２０で、形成する画像がシアン単色であるとの判別がなされなかった場合、ステップＳ１３０へと進む。ステップＳ１３０では、形成する画像がマゼンダ単色であるか否かの判別がなされる。そして、形成される画像がマゼンダ単色であるとの判別がなされた場合、次のステップＳ１３２へと進む。
【００９７】
ステップＳ１３２では、制御装置１００は、現像装置移動装置８２を制御して、現像装置筺体８０を、図９（ａ）に示される初期位置から下降させるように図９（ｂ）に示されるマゼンダ像位置へと移動させ、次のステップＳ１３４へと進む。
【００９８】
ステップＳ１３４では、制御装置１００は、画像形成部１４を制御して、画像形成部１４にマゼンダ画像の形成を行わせる。この際、現像装置としては、現像装置２４Ｍが用いられる。
【００９９】
次に、黒色単色画像、シアン単色画像を形成する場合と同様に、ステップＳ１０８で最後のシートであるか否かの判別がなされ、最後のシートであるとの判別がなされた場合、ステップＳ１１０で、制御装置１００は、現像装置移動装置８２を制御して、現像装置筺体８０を、上昇させるように図２（ａ）に示されるイエロー現像位置へ移動さて、一連の単色モードの画像形成が終了する。
【０１００】
また、ステップＳ１０８で、最後のシートであるとの判別がなされなかた場合、先述の黒色画像、シアン画像を生成する場合と同様に、ステップＳ１０２へと戻る。
【０１０１】
先述のステップＳ１３０で、形成する画像がマゼンダ単色でないとの判別がなされた場合、形成させる単色画像が黒単色、シアン単色、マゼンダ単色のいずれでもないことから、イエロー単色画像を形成するべく、次のステップＳ１４０に進む。
【０１０２】
ステップＳ１４０では、制御装置１００は、必要に応じて、像形成構造体移動装置５０及び現像装置移動装置８２を制御して、像形成構造体２２及び現像装置筺体８０を、図９（ａ）に示されるイエロー像位置へと移動させる。
【０１０３】
次のステップＳ１４２では、制御装置１００は、画像形成部１４を制御して、画像形成部１４にイエロー画像の形成を行わせる。この際、現像装置としては、現像装置２４Ｙが用いられる。
【０１０４】
次のステップＳ１０８では、最後のシートであるか否かの判別がなされ、最後のシートであるとの判別がなされかった場合、ステップＳ１０２へと戻る。一方、ステップＳ１０８で、最後のシートであるとの判別がなされた場合、ステップＳ１１０で、感光体３０及び現像装置筺体８０が第１の位置にあることを確認し、一連の単色モードの画像形成が終了する。
【０１０５】
図１２には、第３の実施形態において、多色モードで画像形成がなされる際の、制御装置１００による制御のフローチャートが示されている。多色モードがスタートすると、ステップＳ２０２で、制御装置１００は、画像形成部１４を制御して、イエロー画像の形成を行う。この際、現像装置としては、現像装置２４Ｙが用いられる。ステップＳ２０２では、感光体３０の表面にイエロー現像剤像が形成され、このイエロー現像剤像が中間転写ベルト６０へと転写される。
【０１０６】
次のステップＳ２０４では、制御装置１００は、現像装置移動装置８２を制御して、像形成構造体２２及び現像装置筺体８０を下降させるようにして、図９（ｂ）に示される第２の位置へと移動させる。
【０１０７】
次のステップＳ２０６では、感光体３０にマゼンダ現像剤像が形成され、このマゼンダ現像剤像が、イエロー現像剤像に重ねあわされるようにして、中間転写ベルト６０に転写される。ステップＳ２０６では、現像装置として現像装置２４Ｍが用いられる。
【０１０８】
次のステップＳ２０８では、制御装置１００は、像形成構造体移動装置５０及び現像装置移動装置８２を制御して、感光体３０及び現像装置筺体８０を、ともに上昇させるように移動させて、感光体３０を第２の位置へ、現像装置筺体８０を第１の位置へと移動させる。
【０１０９】
次のステップＳ２１０では、感光体３０にシアン現像剤像が形成され、このシアン現像剤像が、イエロー現像剤像及びマゼンダ現像剤像に重ねあわされるようにして、中間転写ベルト６０に転写される。ステップＳ２０６では、現像装置として現像装置２４Ｃが用いられる。
【０１１０】
次のステップＳ２１２では、制御装置１００は、現像装置移動装置８２を制御して、現像装置筺体８０を下方に移動させることにより現像装置筺体８０を下降させるように第２の位置へと移動させる。
【０１１１】
次のステップＳ２１４では、感光体３０に黒現像剤像が形成され、この黒現像剤像が、イエロー現像剤像、マゼンダ現像剤像、及びシアン現像剤像に重ねあわされるようにして、中間転写ベルト６０に転写される。ステップＳ２０６では、現像装置として現像装置２４Ｋが用いられる。
【０１１２】
次のステップＳ２１６では、制御装置１００は、シート供給装置１６を制御し、２次転写ロール６６に、中間転写ベルト６０に保持された、イエロー現像剤像、マゼンダ現像剤像、シアン現像剤像、及び黒現像剤像が重ねられた多色の現像剤像をシートに転写させる。そして、シートに転写された多色の現像剤像は、定着装置２７によってシートに定着される。
【０１１３】
次のステップＳ２１８では、制御装置１００は、像形成構造体移動装置５０を制御して、感光体３０を下方に移動させ、感光体３０を第１の位置に移動させるとともに、現像装置移動装置８２を制御して、現像装置筺体８０を上方に移動させて、現像装置筺体を第１の位置へと移動させる。すなわち、感光体３０及び現像装置筺体８０を、初期位置へと移動させる。
【０１１４】
次のステップＳ２２０では、画像形成がなされたシートが最後のシートであるか否かの判別がなされ、最後のシートであるとの判別がなされた場合、多色モードが終了し、一連の画像形成動作が終了する。一方、ステップＳ２２０で、画像形成がなされたシートが最後のシートであるとの判別がなされなかった場合、ステップＳ２０２へと戻る。
【０１１５】
以上で説明をした第３の実施形態に係る画像形成装置１０の制御フローにおいて、それぞれのステップの中で像形成構造体２２を移動させる場合は、像形成構造体２２の移動中に駆動装置４４を用いて感光体３０を駆動するように、制御回路１０２を用いて制御を行うことが望ましい。像形成構造体２２の移動中に感光体３０を駆動させれば、像形成構造体２２の移動後に感光体３０への駆動伝達を開始する場合と比較して、移動後の像形成構造体２２を用いて画像形成を開始するまでの待ち時間が短くなる。
【０１１６】
図１３には、本発明の第４の実施形態に係る画像形成装置１０が示されている。
先述の第１の実施形態では、像形成構造体２２は、略鉛直方向に、略直線の軌道上を移動するようになっていた。これに対して、この第４の実施形態では、像形成構造体２２は、略円弧形状の曲線状の軌道上を移動するようになっている。
【０１１７】
この第３の実施形態においては、像形成構造体２２の筺体２８に、像形成構造体２２を支持する支持部材８６の一端側が、軸８８を介して回転することができるように連結されている。支持部材８６の他端側は、画像形成装置本体１２に軸９０を介して画像形成装置本体１２に対して回転することができるように連結されている。  
【０１１８】
支持部材８６には、像形成構造体移動装置５０が連結されていて、支持部材８６は像形成構造体移動装置５０からの駆動伝達を受けて軸９０を中心として回転することができるようになっている。したがって、像形成構造体移動装置５０を制御することによって、感光体３０を、支持部材８６及び筺体２８とともに移動させることができる。感光体３０は、図１３に実線で示す位置と、２点鎖線で示す３箇所の位置との間で移動可能であり、それぞれの位置で、保持する潜像が現像装置２４Ｙ、２４Ｍ、２４Ｃ、２４Ｋのいずれかによって現像される。
【０１１９】
この第３の実施形態においては、中間転写ベルト６０は、例えばロールからなる転写装置３６Ｙ、３６Ｍ、３６Ｃ、３６Ｋと、例えば７個の支持ロール６２によって、例えば略円形を描くように張架されている。７個の支持ロール６２うちの少なくとも１個が、中間転写ベルト６０に駆動を伝達する駆動ロールとして用いられ、支持ロール６２のうち駆動ロールとして用いられないものが、中間転写ベルト６０に従動する従動ロールとして用いられる。第４の実施形態に係る画像形成装置１０について、先述の第１の実施形態と同一の部分については、図１３に同一番号を付して説明を省略する。
【産業上の利用可能性】
【０１２０】
以上述べたように、本発明は、例えば感光体等の像保持体と、この像保持体が保持する潜像を現像する現像装置とを有する、複写機、ファクシミリ装置、プリンタ等の画像形成装置に適用することができる。
【図面の簡単な説明】
【０１２１】
【図１】本発明の第１の実施形態に係る画像形成装置の構成を示す正面図である。
【図２】本発明の第１の実施形態に係る画像形成装置に用いられる像形成構造体が移動する状態を説明する説明図である。
【図３】本発明の第１の実施形態に係る画像形成装置に用いられる制御装置を示すブロック図である。
【図４】本発明の第１の実施形態に係る画像形成装置の動作を示す第１のフローチャートである。
【図５】本発明の第１の実施形態に係る画像形成装置の動作を示す第２のフローチャートである。
【図６】本発明の第１の実施形態に係る画像形成装置の動作を示す第３のフローチャートである。
【図７】本発明の第２の実施形態に係る画像形成装置の構成を示す正面図である。
【図８】本発明の第３の実施形態に係る画像形成装置の構成を示す正面図である。
【図９】本発明の第３の実施形態に係る画像形成装置に用いられる像形成構造体が移動する状態を説明する説明図である。
【図１０】本発明の第３の実施形態に係る画像形成装置の動作を示す第１のフローチャートである。
【図１１】本発明の第３の実施形態に係る画像形成装置の動作を示す第２のフローチャートである。
【図１２】本発明の第３の実施形態に係る画像形成装置の動作を示す第３のフローチャートである。
【図１３】本発明の第４の実施形態に係る画像形成装置の構成を示す正面図である。
【符号の説明】
【０１２２】
１０      画像形成装置
１４      画像形成部
１８      操作手段
２２      像形成構造体
２４Ｙ、２４Ｍ、２４Ｃ、２４Ｋ      現像装置
３０      感光体
３４      潜像形成装置
４４      駆動装置
５０      像形成構造体移動装置
６０      中間転写ベルト
６６      ２次転写ロール
８２      現像装置移動装置
１００    制御装置
【図１】
2008164692.tif 000003
【図２】
2008164692.tif 000004
【図３】
2008164692.tif 000005
【図４】
2008164692.tif 000006
【図５】
2008164692.tif 000007
【図６】
2008164692.tif 000008
【図７】
2008164692.tif 000009
【図８】
2008164692.tif 000010
【図９】
2008164692.tif 000011
【図１０】
2008164692.tif 000012
【図１１】
2008164692.tif 000013
【図１２】
2008164692.tif 000014
【図１３】
2008164692.tif 000015